(57)【要約】  患者眼の患部に治療レーザ光を照射する眼科用レーザ治療装置は、患者眼に治療レーザ光を照射するためのレーザ照射光学系と、患者眼をスリット光で照明するための照明光学系と、スリット光で照明された患者眼の観察像を得るための観察光学系と、眼模式図を表示するための表示部と、観察像と眼模式図を術者に呈示するための呈示手段と、表示部に眼模式図を表示するための表示制御手段を備える。眼科用レーザ治療装置は更に、観察光学系に設けられ、観察像を観察するための接眼レンズを備え、表示部は観察光学系に設けられている。観察像とは患者眼の光学観察像であり、観察光学系に設けられ、光学観察像と眼模式図を合成するための合成手段を更に備える。
2020026950.tif 000002
【特許請求の範囲】
【請求項１】
患者眼に治療レーザ光を照射するためのレーザ照射光学系と、
前記患者眼をスリット光で照明するための照明光学系と、
前記スリット光で照明された前記患者眼の観察像を得るための観察光学系と、
眼模式図を表示するための表示部と、
前記観察像と前記眼模式図を術者に呈示するための呈示手段と、
前記表示部に前記眼模式図を表示するための表示制御手段と、
を備えることを特徴とする眼科用レーザ治療装置。
【請求項２】
請求項１に記載の眼科用レーザ治療装置であって、
前記観察光学系に設けられ、前記観察像を観察するための接眼レンズを備え、
前記表示部は前記観察光学系に設けられており、
前記観察像とは患者眼の光学観察像であり、
前記観察光学系に設けられ、前記光学観察像と前記眼模式図を合成するための合成手段を更に備える、
ことを特徴とする眼科用レーザ治療装置。
【請求項３】
請求項１に記載の眼科用レーザ治療装置であって、 
前記観察光学系に設けられ、前記患者眼の観察画像を得るための受光素子を備え、 
前記表示制御手段は前記表示部に、前記観察画像と前記眼模式図を同時に表示する、 
ことを特徴とする眼科用レーザ治療装置。
【請求項４】
請求項１〜３のいずれか１項に記載の眼科用レーザ治療装置であって、
前記観察光学系とは異なる光学系を用いて撮影された前記患者眼の実写画像を取得するための取得手段と、
前記表示部に前記眼模式図と前記実写画像とを選択的に表示するための表示選択手段と、
を備えることを特徴とする眼科用レーザ治療装置。
【請求項５】
請求項１〜４のいずれか１項に記載の眼科用レーザ治療装置であって、
前記治療レーザ光の照射予定領域を選択的に決定するためのテンプレートと、
前記眼模式図と前記テンプレートとの合成画像を生成するための画像処理手段と、
を備え、
前記表示制御手段は前記表示部に前記合成画像を表示する、
ことを特徴とする眼科用レーザ治療装置。
【発明の詳細な説明】
【技術分野】
【０００１】
本開示は、患者眼の患部に治療レーザ光を照射する眼科用レーザ治療装置に関する。
【背景技術】
【０００２】
治療レーザ光の照射条件に関するパラメータを、観察視野内に表示するレーザ治療装置が知られている（例えば特許文献１）。また患者眼の広域画像と患者眼のスリット撮影画像とを合成するレーザ治療装置が知られている（例えば特許文献２）。
【先行技術文献】
【特許文献】
【０００３】
【特許文献１】特開２０１７−６４５号公報
【特許文献２】特開２０１６−１５９０７０号公報
【発明の概要】
【０００４】
しかし特許文献１のレーザ治療装置では、観察光学系で得られる観察像以外の情報は、治療レーザ光の照射条件に関する文字情報に限られていた。従って治療予定部位への装置の位置合わせに手間取る可能性があった。また特許文献２のレーザ治療装置は、合成画像の生成に利用する患者眼（治療対象）の広域画像を取得するため、レーザ治療装置のネットワークへの接続、記録媒体への患者眼の広域画像の保存、又はレーザ治療装置が他のモダリティ（例えば眼底カメラ）の少なくとも一部を備えることが必須であった。つまり、特許文献２のレーザ治療装置は、治療を開始する前に広域画像用の撮影が行われていることが前提であった。従って、広域画像を用意するための撮影、広域画像を用いた治療の順で作業が行われ、手術が長引く可能性があった。
【０００５】
そこで、本開示は患者眼の観察中に患者眼の撮影画像とは異なる参照画像を術者に呈示することで、治療レーザ光の照射を好適に行える眼科用レーザ治療装置を提供することを目的とする。
【０００６】
上記課題を解決するために、本開示は以下のような構成を備えることを特徴とする。
（１）患者眼の患部に治療レーザ光を照射する眼科用レーザ治療装置は、患者眼に治療レーザ光を照射するためのレーザ照射光学系と、前記患者眼をスリット光で照明するための照明光学系と、前記スリット光で照明された前記患者眼の観察像を得るための観察光学系と、眼模式図を表示するための表示部と、前記観察像と前記眼模式図を術者に呈示するための呈示手段と、前記表示部に前記眼模式図を表示するための表示制御手段と、を備えることを特徴とする。
【０００７】
本開示の眼科用レーザ治療装置によれば、患者眼の観察中に患者眼の撮影画像とは異なる参照画像が術者に呈示されるため、治療レーザ光の照射を好適に行える。
【図面の簡単な説明】
【０００８】
【図１】本実施形態の眼科用レーザ治療装置の外観図である。
【図２】図１の眼科用レーザ治療装置の光学系を側方からみた図である。
【図３】図１の眼科用レーザ治療装置の光学系を上方からみた図である。
【図４】モニタに表示されるメイン画面である。
【図５】表示器の表示内容である。
【図６】合成像である。
【図７】モニタに表示される参照設定画面である。
【図８】実写画像（参照画像）の一例である。
【図９】パターンの一例である。
【図１０】変容例の参照画像である。
【図１１】図１０の参照画像に照射予定領域を描画した図である。
【図１２】変容例の参照画像である。
【図１３】変容例の参照画像である。
【図１４】モニタに表示されるライブ画面である。
【発明を実施するための形態】
【０００９】
以下、本開示における典型的な実施形態を図面に基づいて説明する。本実施形態の眼科用レーザ治療装置１は、患者眼Ｅに治療レーザ光を照射して、患者眼Ｅの治療等を行なえる。
【００１０】
図１〜３を用いて説明する。本実施形態の眼科用レーザ治療装置１は、デリバリー部２、レーザ光源ユニット１０、及び光ファイバー２０を備える。デリバリー部２はレーザ照射光学系４０（図２参照）を含む。レーザ光源ユニット１０は治療レーザ光源１１（図２参照）を含む。本実施形態では、デリバリー部２とレーザ光源ユニット１０が光ファイバー２０等で接続されている。レーザ光源ユニット１０の筐体内には制御部７０（図２参照）が収容されている。レーザ光源ユニット１０には、操作ユニット８０、フットスイッチ８１、３Ｄマウス８４等が接続されている。
【００１１】
本実施形態の眼科用レーザ治療装置１は更に、細隙灯顕微鏡部３（スリットランプ）とテーブル部４を備える。細隙灯顕微鏡部３は観察光学系３０と照明光学系６０を含む（図２参照）。細隙灯顕微鏡部３は本体部５を備え、デリバリー部２は本体部５に接続（合体）される。テーブル部４は、デリバリー部２が接続された本体部５を載置する。なお、眼科用レーザ治療装置１の態様は本開示に限るものでは無い。例えば、細隙灯顕微鏡部３とデリバリー部２とレーザ光源ユニット１０とが一体化されていてもよい。また例えば、デリバリー部２と細隙灯顕微鏡部３が一体化されていてもよい。
【００１２】
本実施形態の細隙灯顕微鏡部３は、本体部５とヘッドレスト部２２を備える。本体部５は、顕微鏡部７、照明部６、ジョイスティック部９、及び変位機構８を備える。顕微鏡部７には術者が覗くための接眼レンズ３６が含まれる。観察光学系３０（図２参照）は顕微鏡部７に収容される。照明光学系６０（図２参照）は照明部６に収容される。変位機構８は変位手段であり、テーブル部４上に載置された本体部５（レーザ照射光学系４０等）を、上下方向（図１ではＹ方向）、左右方向（図１ではＸ方向）、又は前後方向（図１ではＺ方向）に移動できる。変位機構８は更に、上下方向に伸びる軸を回動中心として、観察光学系３０を水平方向に回動できる。術者はジョイスティック部９を操作して、本体部５を上下方向、左右方向、又は前後方向に移動できる。
【００１３】
＜レーザ光源ユニット＞
本実施形態のレーザ光源ユニット１０は、治療レーザ光を出射する治療レーザ光源１１（図２参照）、可視の照準レーザ光（以降では照準光と呼ぶ）を出射する照準光源１２、治療レーザ光と照準光を合波するビームスプリッタ１３（コンバイナ）、及び集光レンズ１４を備える。治療レーザ光源１１は、治療目的に応じた異なる波長のレーザ光を出射できる。本実施形態の治療レーザ光源１１は、レーザ光のエネルギーを眼底Ｅｒが吸収するように、可視域の波長（例えば、５３２ｎｍ（緑色）、５７７ｎｍ（黄色）、６４７ｎｍ（黄色）等）のレーザ光を出射できる。本実施形態では制御部７０が治療レーザ光源１１を制御することで、３種類（緑色／黄色／赤色）の治療レーザ光のいずれかを、治療レーザ光源１１から選択的に出射できる。なお本実施形態は一例であり、例えば治療レーザ光源１１が１種類の治療レーザ光のみを出射できてもよいし、赤外域の波長の治療レーザ光を出射できてもよい。
【００１４】
照準光源１２は、治療レーザ光の照射予定位置を術者に認識させるための照準光を出射する。本実施形態では、患者眼Ｅで反射した照準光を術者が肉眼で視認できるように、照準光の波長は可視域とされている。治療レーザ光とは異なる波長を、照準光として用いてもよい。例えば照準光の波長として、波長６７０ｎｍ（赤色）を用いてもよい。照準光源１２として例えば、赤色のレーザ光を出射するレーザダイオード（ＬＤ）を用いてもよい。
【００１５】
本実施形態のビームスプリッタ１３は、治療レーザ光源１１が出射する治療レーザ光の大部分を反射し、照準光源１２が出射する照準光の一部を透過する。ビームスプリッタ１３で合波されたレーザ光は集光レンズ１４で集光され、光ファイバー２０の入射端面に入射する。治療レーザ光源１１とビームスプリッタ１３の間には、治療レーザ光を遮断するためのシャッター１５が設けられている。照準光又は治療レーザ光が導光される光路には、シャッター１６が設けられている。本実施形態のシャッター１６は、眼科用レーザ治療装置１の異常時に閉じられる安全シャッターである。
【００１６】
＜レーザ照射光学系＞
次いで本実施形態のレーザ照射光学系４０を説明する。本実施形態のレーザ照射光学系４０（照射手段）は光軸Ｌ２を備え、治療レーザ光源１１から出射される治療レーザ光を患者眼Ｅに照射するために用いられる。本実施形態では、治療レーザ光と照準光とでレーザ照射光学系４０を共用する。本実施形態のレーザ照射光学系４０は、所定のパターンに基づく照準光のスポットを、患者眼Ｅの組織上に形成するための照準光学系とも言える。本説明では便宜上、前述した所定のパターンにシングルスポット（単発照射）を含めている。
【００１７】
以降では治療レーザ光に対して説明するが、照準光も同様である。光ファイバー２０の出射端面から出射される治療レーザ光は、レンズ４１、ズームレンズ４２、ミラー４３の順で介した後、走査部５０（走査手段）、対物レンズ４６、反射ミラー４９、コンタクトレンズＣＬを経て治療部位に照射される。ズームレンズ４２はレーザ光のスポットサイズを変更するためのスポットサイズ変更手段である。ズームレンズ４２は光軸方向に移動可能である。本実施形態ではコンタクトレンズＣＬは術者が把持する。
【００１８】
本実施形態の走査部５０はレーザ照射光学系４０に設けられる。走査部５０は、治療レーザ光のスポット（照射位置）を患者眼Ｅの組織上（眼底Ｅｒ上）で２次元的に走査するために用いられる。本実施形態の走査部５０は、レーザ光の照射位置（照射方向）を２次元的に移動させる走査光学系である。本実施形態の走査部５０はスキャナミラーを備える。本実施形態の走査部５０は、ガルバノミラー５１（第１ガルバノミラー）とガルバノミラー５５（第２ガルバノミラー）を備える。ガルバノミラーをガルバノスキャナと換言してもよい。本実施形態ではガルバノミラー５１とガルバノミラー５５の各々は、レーザ光を反射するミラーとアクチュエータとを備える。アクチュエータは、ミラーを駆動（回動）する駆動部である。なお走査部５０については、例えば特開２０１１−１５６２９０号公報を参照されたし。
【００１９】
本実施形態では、レーザ照射光学系４０の各光学素子を通った治療レーザ光は、反射ミラー４９で反射された後、コンタクトレンズＣＬを介してターゲット面である患者眼Ｅの組織（眼底Ｅｒ）に照射される。ズームレンズ４２は、不図示のレンズカムで保持されている。レンズカムが回転すると、各ズームレンズ４２は光軸方向に移動する。ズームレンズ４２の位置は、レンズカムに取り付けられたエンコーダ４２ａで検出できる。本実施形態の制御部７０は、各レンズの位置情報（検出信号）をエンコーダ４２ａから受け取り、治療レーザ光のスポットサイズを取得できる。詳細は後述するが、治療レーザ光のスポットがターゲット面で２次元のパターンとして形成されるように、走査部５０は制御部７０からの指令信号に基づいて制御される。図示は略すが、本実施形態の反射ミラー４９は、術者の操作により、レーザ光の光軸Ｌ２を２次元的に傾斜させる機構を備える。
【００２０】
本実施形態の制御部７０は、走査部５０の駆動開始、走査部５０の駆動停止、治療レーザ光源１１からの治療レーザ光の照射開始、治療レーザ光源１１からの治療レーザ光の照射停止、の順を繰り返して、患者眼Ｅの組織上に所定パターンのスポットを形成できる。つまり、本実施形態の制御部７０は、走査部５０の駆動と治療レーザ光の照射とを制御して、治療レーザ光のパターン照射を行う。換言するなら、本実施形態の眼科用レーザ治療装置１は、レーザ照射光学系４０と走査部５０を用いて、所定パターンのスポットを形成するパターン照射手段を有する。本実施形態では、スポットを構成する各スポットは分離している。しかし、各スポット同士が連結されていてもよい。前述したように、本実施形態のパターン照射手段は、照準光に対しても、所定パターンのスポットを形成できる。術者は観察光学系３０と照準光を用いて、治療レーザ光の照射開始前に、治療レーザ光の照射予定部位を把握できる。なお本開示は一例であり、眼科用レーザ治療装置１がパターン照射手段を備えなくてもよい。
【００２１】
＜観察光学系＞
本実施形態の観察光学系３０は患者眼Ｅを観察するための観察手段であり、光軸Ｌ３を備える。なお本実施形態の観察光学系３０は、術者の右眼ＥｏＲに観察像を呈示するための光軸Ｌ３Ｒと、術者の左眼ＥｏＬに観察像を呈示するための光軸Ｌ３Ｌとを備える。本実施形態の観察光学系３０を双眼鏡と呼んでもよい。本実施形態の観察光学系３０は、対物レンズ３１、変倍光学系３２（３２Ｒ，３２Ｌ）、保護フィルタ３３（３３Ｒ，３３Ｌ）、ハーフミラー３７、正立プリズム群３４（３４Ｒ，３４Ｌ）、視野絞り３５（３５Ｒ，３５Ｌ）、接眼レンズ３６（３６Ｒ，３６Ｌ）等を備える。術者は接眼レンズ３６を覗いて、患者眼Ｅの観察部位、照準光のスポット（換言するなら照準光が患者眼Ｅで反射した反射光（戻り光））等を確認できる。なお本実施形態では、対物レンズ３１の先に設けられる観察面（物体面）と装置内部に配置されている視野絞り３５とが対物レンズ３１を介して光学的に共役な位置関係にある。つまり視野絞り３５の位置で、患者眼Ｅの観察像が空中像として結像される。なお以降の説明では、観察光学系３０を通過する観察光で形成される観察像のことを光学観察像１１１ａ（又はスルー観察像）と呼ぶことがある。光学観察像１１１ａを換言するなら、受光素子を用いず観察光学系３０にて生成されるタイムラグの無き観察像である。なお、ハーフミラー３７よりも下流の観察光学系３０を、治療に関する情報（患者眼Ｅの光学観察像１１１ａ）を術者に呈示するための呈示光学系（第１呈示光学系又は第１呈示手段）と呼んでもよい。
【００２２】
なお本実施形態の観察光学系３０は受光素子３９を備え、患者眼Ｅの観察像を動画又は静止画で撮影できる。つまり本実施形態の観察光学系３０は患者眼Ｅを撮影（換言するなら電子的に撮影）するための撮影部を備える。本実施形態では受光素子３９として撮像素子を用いている。本実施形態では受光素子３９を用いて取得した観察像を電子観察像１１１ｂ（又は電子観察画像）と呼ぶことがある。ハーフミラー３７は観察光路を分岐するための分岐部材であり、本実施形態では一方の観察光路（光軸Ｌ３Ｌ側）上に斜設されている。本実施形態のハーフミラー３７は保護フィルタ３３Ｌと正立プリズム群３４Ｌの間に配置されている。
【００２３】
患者眼Ｅを撮影するための観察光路（支流）には、レンズ３８、受光素子３９の順で部材が配置されている。観察面（患者眼Ｅの観察部位）から受光素子３９までの光路を、患者眼Ｅを撮影するための撮影光学系（撮影手段）と呼んでもよい。ハーフミラー３７で反射した観察光は、レンズ３８を介した後、受光素子３９で受光される。つまり患者眼Ｅの観察像が受光素子３９上に結像される。本実施形態では対物レンズ３１の先に設けられる観察面（物体面）と受光素子３９とが対物レンズ３１を介して光学的に共役な位置関係にある。本実施形態では受光素子３９として、可視帯域と赤外帯域の感度を有するカラーＣＭＯＳイメージセンサーを用いている。本実施形態の制御部７０は、受光素子３９を用いて取得した電子観察像１１１ｂを、モニタ８２、表示器９３等に表示できる。なお眼科用レーザ治療装置１が受光素子３９を備えなくてもよい。
【００２４】
本実施形態の保護フィルタ３３は観察光路上に挿脱可能であり、保護フィルタ３３にはアクチュエータが接続されている。制御部７０は保護フィルタ３３を観察光路に挿脱できる。本実施形態の制御部７０は、治療レーザ光の照射中は保護フィルタ３３を観察光路に挿入し、それ以外では保護フィルタ３３を観察光路から退避させる。
【００２５】
＜表示部＞
本実施形態の表示部９０は、治療に関する情報を術者に呈示できる。例えば、治療に関する情報（呈示情報）として、治療レーザ光の照射条件、眼模式図、電子観察像１１１ｂ等を呈示できてもよい。つまり換言するなら、本実施形態の表示部９０は、光学観察像１１１ａとは異なる治療に関する情報を術者に呈示できる。本実施形態の表示部９０は観察光学系３０に設けられる。本実施形態の表示部９０は、表示器９３、レンズ９２、ハーフミラー９１等を備える。表示器９３には術者に呈示するための呈示情報が表示される。本実施形態では表示器９３としてＬＣＤ（バックライト付き）を用いている。詳細には、本実施形態では表示器９３として、１６００（Ｈ）×１２００（Ｖ）を表示可能なカラーＬＣＤを用いている。本実施形態のハーフミラー９１は、光軸Ｌ３Ｒ上に配置されている。詳細にはハーフミラー９１は、保護フィルタ３３Ｒと正立プリズム群３４Ｌの間に配置されている。
【００２６】
表示器９３から発せられる呈示光（表示光）は、光軸Ｌ５に沿って進む。詳細には表示器９３から発せられる呈示光は、レンズ９２を介した後、ハーフミラー９１で正立プリズム群３４の方向に反射される。本実施形態のハーフミラー９１は光学観察像１１１ａと表示器９３に表示される呈示情報とを合成するための合成手段である。本実施形態のハーフミラー９１は、光軸Ｌ５と光軸Ｌ３Ｒとを同軸にする。ハーフミラー９１で反射した呈示光は、正立プリズム群３４、視野絞り３５、接眼レンズ３６の順で介して進み、接眼レンズ３６を覗いた術者の眼底に集光する。なお表示器９３から術者の眼底にかけての光路を、治療に関する情報を術者に呈示するための呈示光学系（第２呈示光学系又は第２呈示手段）と呼んでもよい。
【００２７】
本実施形態では表示器９３と視野絞り３５とが光学的に共役な位置関係にある。つまり視野絞り３５の位置で、表示器９３の表示像が空中像として結像される。なお光学観察像１１１ａとは異なる治療に関する情報の、術者への呈示方法は本開示に限るものでは無い。例えば表示部９０としてバックライトを備えないＬＣＤ（液晶パネル）を視野絞り３５の位置（光軸Ｌ３Ｒ上）に配置し、制御部７０がＬＣＤを構成する各セルの透過率を制御して術者に呈示情報を呈示してもよい。なおこの場合、ＬＣＤは光学観察像１１１ａとＬＣＤに表示される呈示情報とを合成するための合成手段である。
【００２８】
＜照明光学系＞
本実施形態の照明光学系６０は患者眼Ｅに照明光を投光するための照明手段であり、光軸Ｌ１を備える。詳細には本実施形態の照明光学系６０はスリット照明手段であり、患者眼Ｅの部位をスリット光で照明できる。本実施形態の照明光学系６０は、照明用光源６１、コンデンサーレンズ６２、スリット板６３、フィルタ、投影レンズ６４、補正レンズ、及び分割ミラーを備える。本実施形態のスリット板６３は、可変円形アパーチャと可変スリット板を含む。可変円形アパーチャは開口径を変更でき、可変スリット板はスリット幅を変更できる。つまり本実施形態の照明光学系６０は、患者眼Ｅの照明形状（スリット形状）を変形するための変形手段を備える。なお本実施形態の照明光学系６０はスリット形状のスリット光のみならず、円形の照明光も生成できる。本実施形態では、術者は不図示の操作部材を操作して、可変円形アパーチャの開口径又は可変スリット板のスリット幅を変更できる。つまり本実施形態の照明光学系６０は、術者が照明形状を変形するための操作手段を備える。
【００２９】
本実施形態の照明用光源６１は可視光を出射できる。照明用光源６１として、例えば、ハロゲンランプ又はＬＥＤを用いてもよい。照明用光源６１から発せられる照明光は、コンデンサーレンズ６２を介した後にスリット板６３の開口部を通過する。スリット板６３にてスリット状に形成された照明光は、フィルタ、投影レンズ６４、補正レンズの順で介して進み、分割ミラーで患者眼Ｅの方向に反射される。分割ミラーで反射した照明光は患者眼Ｅ（本実施形態では眼底Ｅｒ）を照明する。術者は、照明光学系６０により照明された患者眼Ｅを、観察光学系３０を用いて観察できる。
【００３０】
＜制御部＞
本実施形態の制御部７０は眼科用レーザ治療装置１を制御する制御手段であり、ＣＰＵ７１（プロセッサ）、ＲＯＭ７２、ＲＡＭ７３、及び不揮発性メモリ７４等を備える。ＣＰＵ７１は、眼科用レーザ治療装置１における各部の制御を司る。ＲＯＭ７２には、各種プログラム、各種パラメータ、初期値等が記憶されている。ＲＡＭ７３は、各種情報を一時的に記憶できる。不揮発性メモリ７４は、電源の供給が遮断されても記憶内容を保持できる非一過性の記憶媒体である。例えば、制御部７０に着脱可能に装着されるＵＳＢメモリ、フラッシュＲＯＭ等を、不揮発性メモリ７４として使用してもよい。
【００３１】
本実施形態の制御部７０には、治療レーザ光源１１、照準光源１２、エンコーダ４２ａ、ガルバノミラー５１、ガルバノミラー５５、表示器９３、受光素子３９、保護フィルタ３３、減光板９４、フットスイッチ８１、データ入出力部９５（取得手段）、３Ｄマウス８４、タッチパネル８３、及びモニタ８２が接続されている。
【００３２】
本実施形態のフットスイッチ８１は、治療レーザ光の照射を開始するためのトリガ入力手段である。本実施形態のモニタ８２は、治療レーザ光の照射条件に係わる各種パラメータ、患者眼Ｅの観察像等を表示するための表示手段である。また本実施形態のタッチパネル８３は、治療レーザ光の照射条件に係わる各種パラメータ等を設定するための設定手段（第１設定手段）である。モニタ８２にはタッチパネル８３が貼り付けられており、モニタ８２とタッチパネル８３との組み合わせで操作ユニット８０が形成されている。術者はタッチパネル８３を操作（タッチ）することで、治療レーザ光の照射条件に係わる各種パラメータを設定できる。３Ｄマウス８４は、治療レーザ光の照射条件に係わる各種パラメータ等を設定するための設定手段（第２設定手段）である。一例として、本実施形態では術者は３Ｄマウス８４を操作することで、接眼レンズ３６を覗いたまま治療レーザ光の各種照射条件（例えば現在設定されている治療レーザ光の出力値１３４  ）を設定できる。なお本実施形態の制御部７０は、モニタ８２又は表示器９３の表示内容を制御する表示制御手段でもある。
【００３３】
制御部７０は、一対の保護フィルタ３３（３３Ｒ，３３Ｌ）の各々を選択的に駆動できる。本実施形態では術者がフットスイッチ８１を踏むと、制御部７０は各種パラメータの設定に基づき、治療レーザ光のパターン（１又は複数のスポット）をターゲット面に形成するように治療レーザ光を照射する。つまり本実施形態の制御部７０は、患者眼Ｅへの治療レーザ光の照射を制御する照射制御手段である。本実施形態の制御部７０は、治療レーザ光源１１を制御すると共に、設定されたパターンに基づいて走査部５０を制御し、ターゲット面である患者眼Ｅの組織上（眼底Ｅｒ上）に治療レーザ光のパターンを形成する。本実施形態の制御部７０は、フットスイッチ８１が踏まれる前は、治療レーザ光用のパターンを用いて、ターゲット面上に照準光のパターン（１又は複数のスポット）を形成する。照準光および治療レーザ光のパターン照射については、例えば特開２０１１−１５６２９０号公報を参照されたし。
【００３４】
＜使用方法＞
図４〜７を用いて、本実施形態の眼科用レーザ治療装置１の使用方法の一例を説明する。術者が眼科用レーザ治療装置１の電源を投入すると、制御部７０は眼科用レーザ治療装置１の初期設定を行った後、モニタ８２にメイン画面（図４参照）を表示する。なお本実施形態では保護フィルタ３３は、眼科用レーザ治療装置１の初期設定中に観察光路の光路外に退避される。
【００３５】
メイン画面には、治療レーザ光の照射可否を示すステータス情報１３７、現在設定されている治療レーザ光のスポットサイズ値１３３、現在設定されている治療レーザ光の出力値１３４、現在設定されている治療レーザ光の照射時間値１３５、現在設定されている治療レーザ光の照射パターン１３１、現在設定されている治療レーザ光のスポット間隔値１３６、等が表示される。本実施形態のメイン画面はＧＵＩ（グラフィカル・ユーザー・インターフェース）の態様であり、術者はメイン画面に表示されている要素（ボタン等）にタッチしてレーザ照射条件を設定できる。
【００３６】
ここで図５と図６を併用し、術者が接眼レンズ３６を覗いた際に見える情報（換言するなら接眼レンズ３６を覗いた術者に呈示される呈示情報）を説明する。図５は眼科用レーザ治療装置１の初期設定後、表示器９３に表示される情報である。表示器９３には、治療レーザ光の照射を行うための参照情報１２０、及び治療レーザ光の照射条件１３０が表示される。本実施形態では光学観察像１１１ａ（観察像）と表示器９３が表示する呈示情報（参照画像としての眼模式図等）とが合成（換言するなら重畳）されるため、接眼レンズ３６を覗いた術者には、図６で示すように合成像（重畳像）が視認される。なお図６の光学観察像１１１ａは、患者眼Ｅへの観察光学系３０の位置合わせが完了した状態の像である。本実施形態は一例であり、術者の右眼には呈示情報（参照情報１２０と照射条件１３０）のみを導き、術者の左眼には観察像のみを導く態様であってもよい。つまり術者の融像を利用して、図６の合成像を術者に呈示してもよい。
【００３７】
本実施形態の観察情報１１０（図６参照）には、観察光学系３０により生成された光学観察像１１１ａ（スルー観察像）が含まれる。図６で例示する光学観察像１１１ａには、照明光学系６０を用いて照明された患者眼Ｅの照明領域１１２、照明光が直接当たっていない患者眼Ｅの遮光領域１１３、及び患者眼Ｅで反射した照準光１１５が含まれる。本実施形態では照明領域１１２又は遮光領域１１３の形状は、照明光学系６０のスリット板６３の形状に基づく。なお図６では遮光領域１１３をハッチングで示している。観察照明の形状をスリット状にすることで、患者の眩しさ（つまり患者の負担）を低減できる。例えば、細いスリットにするほど患者の眩しさは低減するが、反面、照明領域１１２が狭くなり患者眼Ｅのどの部位を観察しているのか把握し難くなる。つまり患者の負担と観察部位（又は治療予定部位）の把握とはトレードオフの関係になり易い。
【００３８】
図５と図６を用いた説明に戻る。本実施形態の参照情報１２０には参照画像（眼の構造に関する画像）が含まれる。図５，図６では参照画像の一例として、眼の構造に関する画像である眼模式図１２１を示している。本実施形態の眼模式図１２１には白色のベース部分上に、特徴部位として乳頭と網膜血管アーケードとが黒色の線で描かれている。特徴部位として中心窩又は黄斑が含まれてもよい。また眼底の赤道部（赤道位置）が描かれてもよい。本実施形態の眼模式図１２１を、眼の構造のイラスト、眼の構造の略図と呼んでもよい。本実施形態の眼模式図１２１は一例であり、例えば、ベース部分が透明（透過）であってもよい。前述した特徴部位が、ラスタ形式で描画されていてもよいし、ベクタ形式で描画されていてもよい。
【００３９】
参照画像は、例えば、患者眼Ｅを撮影した撮影画像以外、又は患者眼Ｅを解析した解析画像以外であればよい。例えば患者眼Ｅ以外の眼を他の装置で撮影した撮影画像であってもよい。本実施形態の参照画像（図５，６では眼模式図１２１）は、眼科用レーザ治療装置１の製造時に予め記憶手段（不揮発性メモリ７４）に記憶されている。従って例えば、手術現場で眼科用レーザ治療装置１に参照画像をインポートしなくても参照画像を利用できる。
【００４０】
なお詳細は後述するが、本実施形態では参照画像として、眼模式図１２１と実写画像１２５とを選択的に呈示できる。本実施形態では参照情報１２０として更に、左右眼情報１２４も含まれる。本実施形態の左右眼情報１２４は後述する参照設定画面で設定できるが、例えば変位機構８が左右眼検出器を備え、制御部７０が左右眼検出器の出力信号を用いて左右眼情報１２４を自動設定してもよい。なお後述する参照設定画面での設定が完了するまで、表示器９３に参照情報１２０を表示させない制御が行なわれてもよい。例えば、術者による操作又は前述した左右検出器で左右眼情報１２４が設定されるまで、参照画像の利用が禁止（つまり表示器９３への表示が禁止）されてもよい。これにより、例えば、患者眼Ｅの右眼の観察中に左目用の参照画像が表示され、術者が右眼に対する観察光学系３０の位置合わせ操作に迷う事象を抑制できる。
【００４１】
例えば眼底出血が生じた患者眼Ｅの撮影画像（実写画像）を参照画像として用いる場合、硝子体内を浮遊する血液が撮影画像に写り込む可能性がある。従って、撮影画像を見ても眼底の血管走行を把握し難い場合が考えられる。また撮影時と観察時とで硝子体内の血液の浮遊位置が異なる可能性が高いため、参照画像を参照することで術者が混乱する可能性もある。また患者眼Ｅの撮影画像を取得するために用いた光学系（照明光学系又は撮影光学系）の特性と観察光学系３０（及び照明光学系６０）の特性とが異なることで、参照画像と観察像とで同じ患者眼Ｅの像であっても大きく食い違う可能性も高い。つまり、参照画像として用いる患者眼Ｅの撮影画像（実写画像）と実際に観察する患者眼Ｅの観察像とが食い違うことで、術者の混乱を招く可能性がある。しかし本実施形態の参照画像（眼模式図１２１及び後述する実写画像１２５）は患者眼Ｅとの直接的な関係が無い画像であるため、例えば眼底出血が生じている患者眼Ｅであっても、術者は観察光学系３０（又は照準光）を位置合わせし易い。
【００４２】
本実施形態では接眼レンズ３６を覗いた術者には、患者眼Ｅの観察像（光学観察像１１１ａ）と共に、観察像とは異なる態様である参照画像（眼模式図１２１）が表示される。これにより、術者は参照画像（眼模式図１２１）を参照しつつ観察像を観察することで、例えば、照明領域が狭いスリット光を用いた観察状態でも、患者眼Ｅに対する観察光学系３０の位置合わせ状態を判断し易くなる。本実施形態では接眼レンズ３６を覗いた視野内に観察像（光学観察像１１１ａ）と参照画像（眼模式図１２１）とが呈示されるため、術者は接眼レンズ３６から眼を外すことなく参照画像（眼模式図１２１）を確認できる。なお光学観察像１１１ａと参照画像（眼模式図１２１）が重ならないように術者に参照画像を呈示してもよい。
【００４３】
本実施形態の照射条件情報１３０には、現在設定されている治療レーザ光の照射パターン１３１、現在設定されている治療レーザ光の種類１３２（選択されている波長の色で呈示）、現在設定されている治療レーザ光のスポットサイズ値１３３、現在設定されている治療レーザ光の出力値１３４、現在設定されている治療レーザ光の照射時間値１３５、現在設定されているパターン照射時の治療レーザ光のスポット間隔値１３６、及び治療レーザ光を照射可能か否かのステータス情報１３７が表示される。本実施形態では上述した照射条件情報１３０の各要素を、３Ｄマウス８４を用いて個別に変更できる。従って術者は、接眼レンズ３６から眼を外すことなく治療レーザ光の照射条件を変更できる。なお例えば、術者が３Ｄマウス８４（操作手段）を操作することで、現在呈示されている参照画像（眼模式図１２１）のサイズを変更できてもよい。つまり眼科用レーザ治療装置１が現在呈示中の参照画像のサイズを変更する変更手段を備えてもよい。これにより例えば、観察像を凝視する時は参照画像のサイズを小さくし、参照画像を凝視する時は参照画像を大きくできる。また例えば、３Ｄマウス８４の操作後、参照画像のサイズが所定時間だけ大きくなってもよい。
【００４４】
なお図６では３×３のパターンが表示されているが、設定されている照射パターン１３１に応じて表示は変化する。例えば照射パターン１３１として図９で例示するパターンが表示されてもよい。図９の照射パターン１３１は、例えば、黄斑部の治療に適したパターンである。図９の照射パターンは、１回目のフットスイッチ８１の踏み込みでは、ハッチングされたスポット群１３１ａのパターンが治療レーザ光として照射される。残りのスポット群１３１ｂは分割され、フットスイッチ８１を踏み込む度にスポット群が右回転されるようにパターン照射されてゆく。つまり図９の照射パターン１３１はフットスイッチを踏む度に、治療レーザ光の照射領域がシフト（変位，ずれ）してゆく。図９で示すパターンをオートフォワード用のパターンと呼んでもよい。このように照射予定のスポット全てが照射パターン１３１として表示されることで、観察像に写り込む照準光（照準光の状態）をより判断し易くなる。従って、直近の治療予定部位への照準光の位置合わせをより行い易くなる。
【００４５】
メイン画面（図４参照）を用いた眼科用レーザ治療装置１の使用方法の説明に戻る。術者はレーザ照射条件の設定を完了すると、参照ボタン１４２をタッチする。制御部７０は術者の操作を検出すると、モニタ８２に表示する画面をメイン画面から参照設定画面（図７参照）へと切り換える。
【００４６】
本実施形態の参照設定画面（図７参照）には、参照画像（眼模式図１２１）、メインボタン１４６、ライブボタン１４７、左右眼情報１２４、参照画像選択ボタン１４３，テンプレート選択ボタン１４４が含まれる。なおライブボタン１４７とテンプレート選択ボタン１４４は変容例として後ほど説明する。
【００４７】
術者は左右眼情報１２４の箇所を操作（タッチ）して、治療対象眼が右眼又か左眼かを設定できる。なお本実施形態では左右眼情報１２４の設定に基づいて参照画像（眼模式図１２１）が自動的に変化する。例えば術者が右眼から左眼へと左右眼情報１２４の設定を変更すると、眼模式図１２１の描画は左右方向にミラー反転される。
【００４８】
術者は参照画像選択ボタン１４３の箇所を操作（タッチ）して、参照画像として用いる画像を眼模式図１２１（図７参照）と実写画像１２５（図８参照）とで選択できる。つまり本実施形態の参照画像選択ボタン１４３は、実写画像１２５又は眼模式図１２１を表示器９３に選択的に表示するための表示選択手段である。なお例えば、参照画像選択ボタン１４３にて、実写画像１２５と眼模式図１２１を術者に同時に呈示できる選択を行なえてもよい。本実施形態では眼模式図１２１は、眼科用レーザ治療装置１の製造時に記憶手段（不揮発性メモリ７４）に予め記憶している。一方、実写画像１２５は、眼科用レーザ治療装置１が備えるデータ入出力部９５を用いて、有線ＬＡＮ、無線ＬＡＮ、ＵＳＢメモリ等を介して眼科用レーザ治療装置１にインポートされる。なお、データ入出力部９５を用いて眼科用レーザ治療装置１に眼模式図１２１をインポートできてもよい。
【００４９】
本実施形態の実写画像１２５は観察光学系３０以外で患者眼Ｅを撮影した画像であり、つまり例えば、眼科用レーザ治療装置１以外の装置（一例として眼底カメラ）で撮影された患者眼Ｅの撮影画像である。実写画像１２５として例えば、カラー眼底画像、蛍光眼底画像、カラー前眼部画像、眼底ＯＣＴ画像、前眼部ＯＣＴ画像等を用いてもよい。なお不揮発性メモリ７４に種類が異なる複数の眼模式図１２１が記憶されており、術者が選択可能であってもよい。参照画像選択ボタン１４３にて実写画像１２５が選択されると、参照設定画面（図７参照）に表示される参照画像は眼模式図１２１から実写画像１２５に切り換わる。術者は参照画像（眼模式図１２１又は実写画像１２５）と左右眼情報１２４を適宜設定した後、メインボタン１４６を押してメイン画面（図４参照）に戻る。なお参照設定画面での設定内容に基づいて、表示器９３に表示される参照情報１２０が変化する。
【００５０】
メイン画面を用いた説明に戻る。術者は治療レーザ光の照射条件を設定すると、ステータス情報１３７を照射可に設定する。ステータス情報１３７の設定が照射可になることで、フットスイッチ８１の操作が有効になる。術者は接眼レンズ３６を覗きつつジョイスティック９を操作して、患者眼Ｅに対する観察光学系３０（レーザ照射光学系４０）の位置合わせを行う。詳細には術者は、参照画像（眼模式図１２１）を参照しつつ治療予定部位（第１の治療予定部位）への照準光１１５（換言するならレーザ照射光学系４０）の位置合わせを行う。術者は治療予定部位への照準光１１５の位置合わせが完了すると、フットスイッチ８１を踏み込んで治療レーザ光の照射を行う。術者は引き続き、他の治療予定部位（第２の治療予定部位）に照準光を位置合わせし、フットスイッチ８１を踏み込んで治療レーザ光の照射を行う。このように照準光の照準位置を変更しつつ１又は複数の治療予定部位への治療レーザ光の照射が行われる。
【００５１】
＜第１の変容例＞
次いで図１０〜１２を用いて第１の変容例を説明する。図１０〜１２は変容例の参照画像である。図１０で例示する参照画像は、眼模式図１２１上にテンプレート１２２が重畳（合成）されている。本実施形態の制御部７０は、眼画像（眼模式図１２１又は実写画像１２５）とテンプレート１２２とを合成した合成画像を生成する画像処理手段の機能を有する。本実施形態のテンプレート１２２は、所定領域を分割したグラフィック（換言するならセグメントマップ）である。テンプレート１２２の中心は中心窩に対応し、テンプレート１２２の中心から放射状に領域分割線が伸びる。図１０で例示するテンプレート１２２では、黄斑領域、黄斑と網膜血管アーケードの間の領域等でも分割されている。
【００５２】
術者は参照設定画面（図７参照）のテンプレート選択ボタン１４４をタッチすることで、眼画像（眼模式図１２１又は実写画像１２５）上にテンプレート１２２を重畳できる。本実施形態では複数のテンプレート１２２を眼科用レーザ治療装置１の製造時に記憶手段（不揮発性メモリ７４）に記憶している。なお図１０の眼模式図１２１と図１２の眼模式図１２１とが異なるように、本実施形態ではテンプレート１２２の種類に応じて眼模式図１２１の態様が自動変更（例えばトリミング，簡素化，精密化等）される。図１０，図１２はテンプレート１２２の一例であり、術者は眼科用レーザ治療装置１が備える複数のテンプレート１２２の中から治療目的に好適なテンプレート１２２を選択できる。
【００５３】
術者は選択したテンプレート１２２上の任意領域（セグメント）をタッチ（選択）することで、治療レーザ光の照射予定領域１２３を設定できる。照射予定領域１２３は照射パターン１３１で定義される照射領域よりも広い。つまり本実施形態では術者はテンプレート１２２を用いることで、眼模式図１２１上に複数個の照射パターン１３１を配置するよりも少ない作業で照射予定領域を定義できる。従って、速やかに治療レーザ光の開始に移行できる。
【００５４】
図１１では照射予定領域１２３をハッチングで示している。なお眼画像（眼模式図１２１又は実写画像１２５）と照射予定領域１２３のみを合成した合成画像を表示器９３に表示させてもよい。また照射予定領域１２３の変容として、術者がテンプレート１２２を利用して治療レーザ光の照射禁止領域を設定（眼模式図１２１上にマーキング）できてもよい。また例えば、照射予定領域１２３に照射する治療レーザ光の波長に対応する任意の色で、照射予定領域１２３を塗り潰せてもよい。照射予定領域１２３が半透過で塗り潰されてもよい。照射予定領域１２３としてマーキングされるだけでもよい。本実施形態のテンプレート１２２を用いることで、術者は治療レーザ光の照射計画を簡単な操作又は速やかに策定できる。
【００５５】
＜第２の変容例＞
【００５６】
次いで図１３を用いて第２の変容例を説明する。図１３で例示する参照画像は、図９を用いて例示した照射パターン１３１が眼模式図１２１上に重畳されている。眼模式図１２１上への照射パターン１３１の配置は参照設定画面（図７参照）で行える。もちろん、眼模式図１２１上に重畳可能な照射パターン１３１を任意に決定できる。眼模式図１２１上に重畳可能な照射パターン１３１は１個に限らない。眼模式図１２１上の複数箇所に任意の照射パターンを各々配置できてもよい。なお例えば、照射パターン１３１の代わりに凝固班を模したグラフィックを眼模式図１２１上に重畳できてもよい。図１３ではベース画像として眼模式図１２１を用いているが、実写画像１２５を用いてもよい。
【００５７】
＜第３の変容例＞
次いで図１４を用いて第３の変容例を説明する。図１４はモニタ８２に表示するライブ画像である。図６と図１４とで同じ符号の箇所の説明は省略する。図６で示した合成像では観察像として光学観察像１１１ａを用いていたが、図１４で示すライブ画像では観察像として電子観察像１１１ｂを用いる。図１４の電子観察像１１１ｂは動画である。電子観察像１１１ｂは受光素子３９を用いて取得される。ライブ画像では制御部７０は、図６で示した合成像と類似するように電子観察像１１１ｂと呈示情報（参照情報１２０，照射条件情報１３０）とを合成する。つまり本実施形態のモニタ８２は、治療に関する情報（電子観察像１１１ｂ，参照画像等）を術者に呈示するための第３呈示手段である。図１４では、観察情報１１０と参照情報１２０と照射条件情報１３０とのレイアウト関係は、図６で示した合成像とライブ画像とで同様とされている。
【００５８】
これにより術者は、接眼レンズ３６を覗く第１観察方法からモニタ８２を眺める第２観察方法へと、患者眼Ｅの観察方法をシームレス（継ぎ目なく）に変更し易い。つまり例えば、患者眼Ｅの観察方法が接眼レンズ３６を覗く第１観察方法とモニタ８２を眺める第２観察方法の何れであっても、術者は照射条件情報１３０を速やかに確認又は変更し易い。なお観察像と参照情報１２０の位置関係は接眼レンズ３６を覗く第１観察方法とモニタ８２を眺める第２観察方法とで照射条件情報１３０とで一致するほど好ましいが、第１観察方法と第２観察方法とで観察像と参照情報１２０の位置関係が異なってもよい。例えばモニタ８２を用いるライブ画像では電子観察像１１１ｂの外側に参照情報１２０が配置されてもよい。
【００５９】
術者がメイン画面（図４参照）に表示されているライブボタン１４１をタッチすると、モニタ８２の表示はメイン画面からライブ画面（図１４参照）へと切り換わる。なお術者がライブ画面に表示されるボタン１５１をタッチすると、モニタ８２の表示はライブ画面からメイン画面へと切り換わる。モニタ８２の表示がメイン画面かライブ画面かに係わらず、接眼レンズ３６を覗いた術者には合成像（図６参照）が呈示される。前述したようにライブ画面と図６で示す合成像とは、観察情報１１０と参照情報１２０と照射条件情報１３０とのレイアウト関係が略同一であるため、治療中に術者が観察方法を、接眼レンズ３６を覗く観察方法からモニタ８２を見る観察方法へと切り換えたとしても、違和感なく観察し易い。
【００６０】
例えば治療中に、治療予定部位に対して精密な位置合わせが必要な時は接眼レンズ３６を覗く観察方法を採用し、それ以外はライブ画面（モニタ８２）を用いた観察方法を採用できる。例えばライブ画面（モニタ８２）を用いた観察方法では術者の姿勢の自由度が増すため、治療中の術者の負担が低減される。例えばライブ画面（モニタ８２）を用いた観察方法では患者眼ＥにコンタクトレンズＣＬを当て易くなる。なお電子観察像１１１ｂには視野絞り３５の像３５Ｒ’が写り込まないため、制御部７０が画像処理により、視野絞り３５を模した電子マスクを電子観察像１１１ｂ上に重畳させてもよい。つまり、図６を用いて例示した光学観察像１１１ａを用いた合成像と、図１４を用いて例示した電子観察像１１１ｂを用いた合成像とで観察画角を同一になるように、電子マスクが用いられてもよい。これにより、接眼レンズ３６を覗く第１観察方法とモニタ８２を眺める第２観察方法とで、患者眼Ｅの観察方法をよりシームレス（継ぎ目なく）に変更し易くなる。
【００６１】
＜まとめ＞
以上説明したように、本開示の眼科用レーザ治療装置１は、患者眼Ｅに治療レーザ光を照射するためのレーザ照射光学系４０と、患者眼Ｅをスリット光で照明するための照明光学系６０と、スリット光で照明された患者眼Ｅの観察像を得るための観察光学系３０と、眼模式図１２１を表示するための表示部９０と、観察像と眼模式図１２１を術者に呈示するための呈示手段と、表示部９０に眼模式図１２１を表示するための表示制御手段と、を備える。これにより、例えば、他の装置で撮影した患者眼Ｅの撮影画像（実写画像１２５）を取得しなくても、患者眼Ｅの観察像と眼模式図１２１を用いて治療レーザ光の照射を好適に行える。
【００６２】
また本実施形態の眼科用レーザ治療装置は、観察光学系３０に設けられ、光学観察像１１１ａを観察するための接眼レンズ３６を備え、表示部９０は観察光学系３０に設けられている。また、観察光学系３０に設けられ、前記光学観察像と前記眼模式図を合成するための合成手段を更に備える、これにより、例えば、接眼レンズ３６を覗くと観察像と眼模式図１２１が呈示され、治療レーザ光の照射を好適に行える。接眼レンズ３６を覗いて患者眼Ｅを観察することで、例えば、患者眼Ｅに対する精密な位置合わせを行い易くなる。また本実施形態の眼科用レーザ治療装置は、観察光学系３０に設けられ、患者眼Ｅの電子観察像１１１ｂを得るための受光素子３９を備え、表示制御手段は表示部９０に電子観察像１１１ｂと眼模式図１２１を同時に表示する。これにより、例えば、術者の姿勢に余裕が生まれ、治療レーザ光の照射回数が多く、治療時間が長引いても術者は疲れ難い。
【００６３】
また本実施形態の眼科用レーザ治療装置は、観察光学系３０とは異なる光学系を用いて撮影された患者眼Ｅの実写画像１２５を取得するための取得手段と、表示部９０に眼模式図１２１と実写画像１２５とを選択的に表示するための表示選択手段を備える。これにより、例えば、患者眼Ｅの実写画像１２５が既に存在する場合は観察像と実写画像１２５を用いた治療レーザ光の照射を行い、患者眼Ｅの実写画像１２５が存在しない場合は観察像と眼模式図１２１を用いた治療レーザ光の照射を行えばよい。つまり実写画像１２５の有無に依存することなく治療を速やかに行える。
【００６４】
また本実施形態の眼科用レーザ治療装置は、治療レーザ光の照射予定領域１２３を選択的に決定するためのテンプレート１２２と、眼模式図１２１とテンプレート１２２との合成画像を生成するための画像処理手段を備えている。ここで表示制御手段は表示部９０に合成画像を表示できる。これにより、例えば、術者はテンプレートを用いることで簡単な操作で照射予定領域を決定でき、且つ、決定した照射予定領域が術者に呈示されることで、速やかな治療が可能になる。
【００６５】
＜その他＞
本実施形態の眼科用レーザ治療装置１は一例であり、例えば術者が覗いて観察するための接眼ユニット（正立プリズム群３４，視野絞り３５，接眼レンズ３６）を、眼科用レーザ治療装置が備えなくてもよい。つまり受光素子を用いた観察像の取得と接眼レンズを介さない表示手段との組合せのみで患者眼Ｅに観察像を呈示する眼科用レーザ治療装置に本開示の技術を適用してもよい。
【００６６】
本実施形態では眼科用レーザ治療装置の一例として、患者眼Ｅの眼底Ｅｒの患部を光凝固する眼科用レーザ治療装置１を用いた。しかし本開示の適用は光凝固装置に限るものでは無い。例えば患者眼Ｅに治療レーザ光を照射して後発白内障の治療を行う眼科用レーザ治療装置に本開示の技術を適用してもよい。本開示の技術を、患者眼を観察し、治療レーザ光にて治療を行う他の眼科用レーザ治療装置に適用してもよい。本開示の技術は、観察用の照明光としてスリット光を用いる眼科用レーザ治療装置に適用するとより好適である。
【００６７】
今回開示された実施形態はすべての点で例示であって、制限的なものではないと考えられるべきである。本開示の範囲は、上記した説明ではなく、特許請求の範囲によって示され、特許請求の範囲及びこれと均等の意味及び範囲内でのすべての変更が含まれることが意図される。
【符号の説明】
【００６８】
１  眼科用レーザ治療装置
３０  観察光学系
３６  接眼レンズ
３９  撮像素子
４０  レーザ照射光学系
６０  照明光学系
７０  制御部
９０  表示部
１２１  眼模式図
Ｅ  患者眼
【図１】
2020026950.tif 000003
【図２】
2020026950.tif 000004
【図３】
2020026950.tif 000005
【図４】
2020026950.tif 000006
【図５】
2020026950.tif 000007
【図６】
2020026950.tif 000008
【図７】
2020026950.tif 000009
【図８】
2020026950.tif 000010
【図９】
2020026950.tif 000011
【図１０】
2020026950.tif 000012
【図１１】
2020026950.tif 000013
【図１２】
2020026950.tif 000014
【図１３】
2020026950.tif 000015
【図１４】
2020026950.tif 000016
【国際調査報告】
2020026950.tif 000017
2020026950.tif 000018